(57)【要約】【課題】本発明は、極めて商品価値の高い観賞装置を提供することを目的とする。【解決手段】正面側に観賞体50が設けられた観賞壁面部１と、この観賞壁面部１の正面側に霧Ｍを導出させる霧発生部２とを備えた観賞装置であって、前記霧発生部２は、前記観賞壁面部１の背面側に設けられ水導入部３及び該水導出部４が設けられた水収納部５と、この水収納部５に設けられ水Ｗに超音波の振動エネルギーを付与して霧Ｍを発生させる超音波発生部６とから成り、前記観賞壁面部１には前記霧発生部２で発生した霧Ｍを前記観賞壁面部１の正面側へ導出させる霧導出部８が設けられ、更に、前記水収納部５には前記霧導出部８に連通する霧通過部７が設けられたものである。【選択図】図１
2020182393.tif 000002
【特許請求の範囲】
【請求項１】
正面側に観賞体が設けられた観賞壁面部と、この観賞壁面部の正面側に霧を導出させる霧発生部とを備えた観賞装置であって、前記霧発生部は、前記観賞壁面部の背面側に設けられ水導入部及び該水導出部が設けられた水収納部と、この水収納部に設けられ水に超音波の振動エネルギーを付与して霧を発生させる超音波発生部とから成り、前記観賞壁面部には前記霧発生部で発生した霧を前記観賞壁面部の正面側へ導出させる霧導出部が設けられ、更に、前記水収納部には前記霧導出部に連通する霧通過部が設けられ、前記水収納部で発生した霧は前記霧通過部を通過して前記霧導出部から前記観賞壁面部の正面側に導出されるように構成されており、また、前記水導出部から導出される水は前記観賞壁面部の正面側に導出されないように構成されていることを特徴とする観賞装置。
【請求項２】
請求項１記載の観賞装置において、前記観賞壁面部の背面側には、前記水導出部から導出された水を回収する水溜め部が設けられ、この水溜め部に溜まった水Ｗをポンプ部を介して前記水導入部に搬送する水搬送部が設けられていることを特徴とする観賞装置。
【請求項３】
請求項１，２いずれか１項に記載の観賞装置において、前記観賞壁面部の背面側には、前記水導出部から導出された水を濾過する濾過材が設けられていることを特徴とする観賞装置。
【請求項４】
請求項１〜３いずれか１項に記載の観賞装置において、前記観賞壁面部の下端部には貫通孔部が設けられ、前記観賞壁面部の背面側には、前記貫通孔部を通過して前記観賞壁面部の正面側から背面側へ流れた水を吸水する吸水部が設けられていることを特徴とする観賞装置。
【請求項５】
請求項１〜４いずれか１項に記載の観賞装置において、前記観賞壁面部は、夫々透明な底面板，左側面板，右側面板及び背面板から成る透明ケース体内に設けられており、正面開口部には該正面開口部を開閉する透明な正面開閉板が設けられ、また、上面開口部には該上面開口部を開閉する透明な上面開閉板が設けられていることを特徴とする観賞装置。
【請求項６】
請求項５記載の観賞装置において、前記正面開閉板は、水平回動することで前記正面開口部を開閉するように構成されていることを特徴とする観賞装置。
【請求項７】
請求項５記載の観賞装置において、前記上面開閉板は、前後スライド移動することで前記上面開口部を開閉するように構成されていることを特徴とする観賞装置。
【請求項８】
請求項１〜７いずれか１項に記載の観賞装置において、前記観賞壁面部の正面上方位置には巾方向に長さを有する凹状の霧溜め部が設けられ、この霧溜め部には前記霧導出部から導出される霧が溜められるように構成されていることを特徴とする観賞装置。
【請求項９】
請求項８記載の観賞装置において、前記霧溜め部は、前記観賞壁面部の正面から板体を上方傾斜状態で突設して構成されていることを特徴とする観賞装置。
【請求項１０】
請求項１〜９いずれか１項に記載の観賞装置において、前記観賞体として陸上植物を採用したことを特徴とする観賞装置。
【発明の詳細な説明】
【技術分野】
【０００１】
本発明は、観賞装置に関するものである。
【背景技術】
【０００２】
本出願人は、特開２０１８−５０５８５号及び特開２０１８−５０５８６号に開示される観賞装置（以下、従来例）を提案している。
【０００３】
この従来例は、連設された正面開口部及び上面開口部を有する水槽に観賞水草体を配設する壁面部を設け、この壁面部の上方位置には該壁面部に設けた観賞水草体に与える水を溜める水溜め部が設けられ、この水溜め部は、壁面部の巾方向に長さを有する凹所を設けて構成されている。
【０００４】
従って、従来例は、壁面部の上方位置に設けられた水溜め部から水が流下すると、この壁面部に設けられる観賞水草体に水が供給され、また、この水が壁面部を流下することで観賞水草体を良好に美化することができ、しかも、水溜め部は、壁面部の巾方向に長さを有する凹所を設けて構成されており、壁面部の上部に所謂水面が形成されるなど、従来にない視覚効果を有してインテリア性に秀れたものである。
【先行技術文献】
【特許文献】
【０００５】
【特許文献１】特開２０１８−５０５８５号公報
【特許文献２】特開２０１８−５０５８６号公報
【発明の概要】
【発明が解決しようとする課題】
【０００６】
本発明者は、前述した観賞装置について開発を進めた結果、極めて商品価値の高い観賞装置を開発した。
【課題を解決するための手段】
【０００７】
添付図面を参照して本発明の要旨を説明する。
【０００８】
正面側に観賞体50が設けられた観賞壁面部１と、この観賞壁面部１の正面側に霧Ｍを導出させる霧発生部２とを備えた観賞装置であって、前記霧発生部２は、前記観賞壁面部１の背面側に設けられ水導入部３及び該水導出部４が設けられた水収納部５と、この水収納部５に設けられ水Ｗに超音波の振動エネルギーを付与して霧Ｍを発生させる超音波発生部６とから成り、前記観賞壁面部１には前記霧発生部２で発生した霧Ｍを前記観賞壁面部１の正面側へ導出させる霧導出部８が設けられ、更に、前記水収納部５には前記霧導出部８に連通する霧通過部７が設けられ、前記水収納部５で発生した霧Ｍは前記霧通過部７を通過して前記霧導出部８から前記観賞壁面部１の正面側に導出されるように構成されており、また、前記水導出部４から導出される水Ｗは前記観賞壁面部１の正面側に導出されないように構成されていることを特徴とする観賞装置に係るものである。
【０００９】
また、請求項１記載の観賞装置において、前記観賞壁面部１の背面側には、前記水導出部４から導出された水Ｗを回収する水溜め部10が設けられ、この水溜め部10に溜まった水Ｗをポンプ部11を介して前記水導入部３に搬送する水搬送部12が設けられていることを特徴とする観賞装置に係るものである。
【００１０】
また、請求項１，２いずれか１項に記載の観賞装置において、前記観賞壁面部１の背面側には、前記水導出部４から導出された水Ｗを濾過する濾過材17が設けられていることを特徴とする観賞装置に係るものである。
【００１１】
また、請求項１〜３いずれか１項に記載の観賞装置において、前記観賞壁面部１の下端部には貫通孔部13が設けられ、前記観賞壁面部１の背面側には、前記貫通孔部13を通過して前記観賞壁面部１の正面側から背面側へ流れた水を吸水する吸水部14が設けられていることを特徴とする観賞装置に係るものである。
【００１２】
また、請求項１〜４いずれか１項に記載の観賞装置において、前記観賞壁面部１は、夫々透明な底面板15ａ，左側面板15ｃ，右側面板15ｄ及び背面板15ｅから成る透明ケース体15内に設けられており、正面開口部15’には該正面開口部15’を開閉する透明な正面開閉板15Ａが設けられ、また、上面開口部15”には該上面開口部15”を開閉する透明な上面開閉板15Ｂが設けられていることを特徴とする観賞装置に係るものである。
【００１３】
また、請求項５記載の観賞装置において、前記正面開閉板15Ａは、水平回動することで前記正面開口部15’を開閉するように構成されていることを特徴とする観賞装置に係るものである。
【００１４】
また、請求項５記載の観賞装置において、前記上面開閉板15Ｂは、前後スライド移動することで前記上面開口部15”を開閉するように構成されていることを特徴とする観賞装置に係るものである。
【００１５】
また、請求項１〜７いずれか１項に記載の観賞装置において、前記観賞壁面部１の正面上方位置には巾方向に長さを有する凹状の霧溜め部16が設けられ、この霧溜め部16には前記霧導出部８から導出される霧Ｍが溜められるように構成されていることを特徴とする観賞装置に係るものである。
【００１６】
また、請求項８記載の観賞装置において、前記霧溜め部16は、前記観賞壁面部１の正面から板体16’を上方傾斜状態で突設して構成されていることを特徴とする観賞装置に係るものである。
【００１７】
また、請求項１〜９いずれか１項に記載の観賞装置において、前記観賞体50として陸上植物を採用したことを特徴とする観賞装置に係るものである。
【発明の効果】
【００１８】
本発明は上述のように構成したから、観賞体を良好に美化することができてインテリア性に秀れたものになり、しかも、観賞体が設けられる空間へ適度な水分を付与することができるなど、極めて商品価値の高い観賞装置となる。
【図面の簡単な説明】
【００１９】
【図１】本実施例の使用状態説明図である。
【図２】本実施例を示す斜視図である。
【図３】本実施例の分解斜視図である。
【図４】本実施例の要部の斜視図である。
【図５】本実施例の要部の断面図である。
【図６】本実施例の要部の動作説明図である。
【図７】本実施例の要部の動作説明図である。
【図８】本実施例の要部の動作説明図である。
【図９】本実施例の要部の動作説明図である。
【図１０】本実施例の動作説明図である。
【発明を実施するための形態】
【００２０】
好適と考える本発明の実施形態を、図面に基づいて本発明の作用を示して簡単に説明する。
【００２１】
観賞壁面部１の正面側には観賞体50が設けられ、霧発生部２で発生した霧Ｍは観賞壁面部１の正面側に導出される。
【００２２】
具体的には、霧発生部２では、水収納部５には水導入部３から水Ｗが導入され、この水Ｗに超音波発生部６から超音波の振動エネルギーを付与して霧Ｍが発生すると、この霧Ｍは、霧通過部７を通過して霧導出部８から観賞壁面部１の正面側に導出される。一方、水導出部４から導出された水Ｗは、観賞壁面部１の正面側には導出されない。
【００２３】
つまり、観賞壁面部１の正面側には霧Ｍだけが導出され、それ以外の水分が観賞壁面部１の正面側に導出されない状態が得られることになり、従って、観賞壁面部１に設けられる観賞体50が美化され、また、この観賞体50が設けられる空間へ適度な水分を供給できることになる。
【００２４】
具体的には、例えば観賞体50として陸上植物（熱帯植物）を採用した場合、その植物が生育する自然の雰囲気、即ち、熱帯雨林のような霧のかかった多湿な雰囲気を演出することができ、しかも、その植物の育成に適した量の水分を与えることができ、更に、その空間を加湿することができるなど、観賞壁面部１に霧Ｍだけを導出したいということが可能となる。
【実施例】
【００２５】
本発明の具体的な実施例について図面に基づいて説明する。
【００２６】
本実施例は、正面側に観賞体50が設けられた観賞壁面部１と、この観賞壁面部１の正面側に霧Ｍを導出させる霧発生部２とを備えた観賞装置Ｘである。
【００２７】
尚、本実施例の観賞体50としては、本出願人が提案する特許第４６２８３４１号に開示される観賞水草体であったり、図１に図示したように基材50ｂに陸上植物50ａが設けられたものや、木や岩などの植物観賞用レイアウトに使用される各種素材50ｃなどが採用される。その他、例えば樹脂や金属で出来た立体的な造形物であったり、絵や書などの平面的な造形物であっても良いのは勿論であり、また、観賞体50は観賞壁面部１に直接設けても所定距離を介した前方位置に設けても良く、要は観賞壁面部１の正面側に設けられる。
【００２８】
具体的には、本実施例に係る観賞装置Ｘは、透明ケース体15と、この透明ケース体15内に設けられる観賞ユニット体18とで構成されている。
【００２９】
透明ケース体15は、図１〜３に図示したように適宜な透明部材（ガラス部材）製の底面板15ａ，正面板15ｂ，左側面板15ｃ，右側面板15ｄ及び背面板15ｅから成り正面開口部15’及び上面開口部15”が連設状態に設けられたもので、更に、正面開口部15’を開閉する透明な正面開閉板15Ａが設けられると共に、上面開口部15”を開閉する透明な上面開閉板15Ｂが設けられている。尚、本実施例では、正面板15ｂの高さが左側面板15ｃ及び右側面板15ｄよりも低く設定されることで正面開口部15’が設けられ、透明ケース体15の下部には土や石や水などを配設し得る収納空間部15Ｓが設けられる。
【００３０】
また、正面開閉板15Ａは、左側面板15ｃ若しくは右側面板15ｄのいずれか一方の前端部に水平回動自在に設けられている。
【００３１】
具体的には、本実施例では、図１〜３に図示したように正面開閉板15Ａの左端部に合成樹脂製の取付部材19を設け、この取付部材19の上下両端部には凸部19ａが設けられており、上部の凸部19ａは、後述するガイド部材20の先端部に設けられた凹部20ａに回動自在に嵌合し、下部の凸部19ａは、左側面板15ｃの前端部と正面板15ｂとの連設部位に設けられる連結部材21に設けられた凹部21ａに回動自在に嵌合する。
【００３２】
従って、正面開閉板15Ａは、左側面板15ｃの前端部に水平回動自在となり、例えば観賞体50の位置を変えたりメンテナンスしたい場合など、正面開閉板15Ａを開放して行うことができる。
【００３３】
符号22ａは、正面開閉板15Ａの上端部に設けられガイド部材20の先端部に設けられた金属薄板状の被磁着体22ｂに着磁して当該正面開閉板15Ａの閉塞状態を保持する磁石（磁性体）である。
【００３４】
また、上面開閉板15Ｂは、左側面板15ｃ及び右側面板15ｄの上端部に前後スライド移動自在に設けられている。
【００３５】
具体的には、本実施例では、図１〜３に図示したように左側面板15ｃ及び右側面板15ｄの上端部に合成樹脂製のガイド部材20を設け、このガイド部材20には凹段状のガイド部20ｂが設けられており、この左右のガイド部20ｂに上面開閉板15Ｂの左右端部をスライド移動自在（摺動自在）に載置して架設状態となるように構成されている。
【００３６】
従って、上面開閉板15Ｂは、左側面板15ｃ及び右側面板15ｄの上端部に前後スライド移動自在となり、霧Ｍが導出される透明ケース体15内の湿度を調整したり、透明ケース体15に納まりきらない大きさの観賞体50を外部に飛び出した状態で設けたりする場合など、上面開閉板15Ｂを適宜開閉して行うことができる。
【００３７】
観賞ユニット体18は、図１〜３に図示したように適宜な合成樹脂製の部材で形成された矩形の箱状体18’を有し、この箱状体18’は透明ケース体15内に出し入れ自在に設けられている。
【００３８】
また、箱状体18’の内部は仕切板18ａにより仕切られた左右の空間部が設けられており、正面方向から見て右側の空間部には底部18ｂが設けられて水Ｗを収納し得るように構成されている。
【００３９】
また、箱状体18’の上部には、上部開口部を閉塞する合成樹脂製の蓋体18ｃが設けられている。
【００４０】
また、箱状体18’の正面板18ｄには、正面側に観賞体50が設けられる観賞壁面部１が設けられている。
【００４１】
この観賞壁面部１は、図２，３に図示したようにその表面に所定長を有する断面円形の突起１ａが複数設けられており、これら突起１ａ同士の間隔は観賞体50の基材50ｂを係止配設し得る適宜な間隔に設定されている。
【００４２】
また、観賞壁面部１の上方中央位置には横孔が設けられ、この横孔は後述する霧発生部２から導出された霧Ｍを導出する霧導出部８として構成されている。
【００４３】
また、本実施例は、観賞壁面部１の上方位置には、後述する霧発生部２から導出された霧Ｍを溜める霧溜め部16が設けられ、この霧溜め部16は、観賞壁面部１の巾方向に長さを有する凹所を設けて構成されている。
【００４４】
具体的には、霧溜め部16は、図３，５に図示したように観賞壁面部１の表面から板体16’を上方傾斜状態に突設して構成されており、霧導出部８から導出された霧Ｍが溜められる。
【００４５】
また、霧溜め部16には、該霧溜め部16の長さ方向に複数の排水孔部16ａが並設されている。
【００４６】
従って、霧溜め部16から観賞壁面部１に流下せずに霧Ｍの水粒が大きくなって溜まった水Ｗは各排水孔部16ａから排水されて観賞壁面部１から収納空間部15Ｓまで流下する。
【００４７】
また、観賞ユニット体18には、観賞壁面部１の正面側に導出させる霧Ｍを発生する霧発生部２が設けられている。
【００４８】
具体的には、この霧発生部２は、図３〜６に図示したように観賞壁面部１の背面側に設けられ水導入部３及び該水導入部３から導入された水Ｗを導出する水導出部４が設けられた水収納部５と、この水収納部５に設けられ水Ｗに超音波の振動エネルギーを付与して霧Ｍを発生する超音波発生部６とで構成されている。
【００４９】
水収納部５は、箱状体18’を正面方向から見て右側の空間部にして観賞壁面部１の背面側上部中央位置に設けられ、正面板５ａと左右の側板（側板５ｂ及び仕切板18ａ）と底板５ｃと箱状体18’の背面板18ｃとから成る上部開口部を有する構成であり、その上部開口部は蓋体18”により閉塞し得るように構成されている。
【００５０】
また、水収納部５の側板（仕切板18ａ）の上端部には、後述する管状の水搬送部12の上端部を配して水導入部３が設けられている。
【００５１】
また、水収納部５には、その上部空間が霧導出部８に連通する霧通過部７として構成されている。
【００５２】
従って、水収納部５で発生した霧Ｍが霧通過部７を通過して霧導出部８から観賞壁面部１の正面側に導出される。
【００５３】
また、水収納部５の正面板５ａの上方位置にして前述した霧通過部７及び霧導出部８よりも下方位置には多数のスリットから成る水導出部４（オーバーフロー部）が設けられている。
【００５４】
従って、この水導出部４により水導入部３から水収納部５へ導入される水Ｗの量が所定量に維持される。
【００５５】
また、この水導出部４には、該水導出部４から導出したオーバーフロー水Ｗ’を落下通過させるオーバーフロー水通過部９が併設されている。
【００５６】
具体的には、水収納部５の正面板５ａは観賞壁面部１の背面と所定間隔を介した位置に設けられ、つまり、水収納部５と観賞壁面部１との隙間が形成されており、水導出部４から水収納部５の外部へ排出されたオーバーフロー水Ｗ’が落下通過するように構成されている。
【００５７】
従って、水導出部４から導出された水Ｗ（オーバーフロー水Ｗ’）はオーバーフロー水通過部９を落下通過して観賞壁面部１の正面側に導出されることはない。
【００５８】
また、水収納部５には、水Ｗに超音波の振動エネルギーを付与して霧Ｍを発生する公知構造の超音波発生部６が設けられている。
【００５９】
また、観賞壁面部１の背面側後方位置には、オーバーフロー水通過部９を落下通過した水Ｗ（オーバーフロー水Ｗ’）を回収する水溜め部10が設けられ、この水溜め部10に溜まった水Ｗをポンプ部11を介して水導入部３に搬送する管状の水搬送部12が設けられている。
【００６０】
従って、観賞ユニット体18内を水Ｗが循環している。
【００６１】
また、本実施例では、水溜め部10にしてオーバーフロー水通過部９の下方位置には、オーバーフロー水通過部９を落下通過した水Ｗ（オーバーフロー水Ｗ’）を濾過する濾過材17が設けられている。
【００６２】
従って、観賞ユニット体18内を循環する水Ｗ（霧Ｍ）は可及的に綺麗な状態が維持される。
【００６３】
また、観賞壁面部１の下端部には、箱状体18’を正面方向から見て左側の空間部に連通する貫通孔部13が設けられ、この貫通孔部13は、収納空間部15Ｓに溜まった水Ｗが通過するように構成され、更に、観賞壁面部１の背面側にして箱状体18’を正面方向から見て左側の空間部には吸水性素材（スポンジ）から成る吸水部14が設けられている。
【００６４】
従って、観賞壁面部１の正面側へ導入された霧Ｍは、観賞体50に付着するなどしていずれ水滴が大きくなり収納空間部15Ｓに溜まるが、この収納空間部15Ｓの水Ｗは貫通孔部13を通過して観賞壁面部１の正面側から背面側へ流れ、その後、吸水部14で吸水されて回収される。
【００６５】
本実施例は上述のよう構成したから、観賞壁面部１の正面側には観賞体50が設けられ、霧発生部２で発生した霧Ｍは観賞壁面部１の正面側に導出される。
【００６６】
具体的には、霧発生部２では、水収納部５には水導入部３から水Ｗが導入され、この水導入部３から導入された水Ｗは水収納部５が所定の水量以上になると水導出部４から導出される。
【００６７】
この状態で、水収納部５の水Ｗに超音波発生部６から超音波の振動エネルギーを付与して霧Ｍが発生すると、この霧Ｍは、霧通過部７を通過して霧導出部８から観賞壁面部１の正面側に導出され、一方、水導出部４から導出された水Ｗ（オーバーフロー水Ｗ’）は、オーバーフロー水通過部９を落下通過して観賞壁面部１の正面側には導出されない。
【００６８】
従って、本実施例のように、観賞体50として陸上植物（熱帯植物）を採用した場合、その植物が生育する自然の雰囲気、即ち、熱帯雨林のような霧のかかった多湿な雰囲気を演出することができ、しかも、その植物の育成に適した量の水分を与えることができ、更に、その空間を加湿することができるなど、観賞壁面部１に霧Ｍだけを導出したいということが可能となる。
【００６９】
また、本実施例は、観賞壁面部１の背面側には、水導出部４から導出された水Ｗを回収する水溜め部10が設けられ、この水溜め部10に溜まった水Ｗをポンプ部11を介して水導入部３に搬送する水搬送部12が設けられているから、装置内を水Ｗが循環することで可及的に止まった水Ｗを作ることなく装置内の水Ｗが傷むのを抑制することができる。
【００７０】
また、本実施例は、観賞壁面部１の背面側には、水導出部４から導出された水Ｗを濾過する濾過材17が設けられているから、装置内を綺麗な水Ｗが循環することになる。
【００７１】
また、本実施例は、観賞壁面部１の下端部には貫通孔部13が設けられ、観賞壁面部１の背面側には、貫通孔部13を通過して観賞壁面部１の正面側から背面側へ流れた水を吸水する吸水部14が設けられているから、装置内で発生する不要な水Ｗを簡易且つ確実に回収することができる。
【００７２】
また、本実施例は、観賞壁面部１は、夫々透明な底面板15ａ，左側面板15ｃ，右側面板15ｄ及び背面板15ｅから成る透明ケース体15内に設けられており、正面開口部15’には該正面開口部15’を開閉する透明な正面開閉板15Ａが設けられ、また、上面開口部15”には該上面開口部15”を開閉する透明な上面開閉板15Ｂが設けられているから、インテリア性だけでなく、使い勝手に秀れたものとなる。
【００７３】
また、本実施例は、正面開閉板15Ａは、水平回動することで正面開口部15’を開閉するように構成されているから、前述した作用効果を確実に奏することになる。
【００７４】
また、本実施例は、上面開閉板15Ｂは、前後スライド移動することで上面開口部15”を開閉するように構成されているから、前述した作用効果を確実に奏することになる。
【００７５】
また、本実施例は、観賞壁面部１の正面には巾方向に長さを有する凹状の霧溜め部16が設けられ、この霧溜め部16には前記霧導出部８から導出される霧Ｍが溜められるように構成されているから、霧Ｍを観賞体50へ良好に導出することができる。
【００７６】
また、本実施例は、霧溜め部16は、観賞壁面部１の正面から板体16’を上方傾斜状態で突設して構成されているから、前述した作用効果を確実に奏することになる。
【００７７】
尚、本発明は、本実施例に限られるものではなく、各構成要件の具体的構成は適宜設計し得るものである。
【符号の説明】
【００７８】
Ｍ  霧
Ｗ  水
１  観賞壁面部
２  霧発生部
３  水導入部
４  水導出部
５  水収納部
６  超音波発生部
７  霧通過部
８  霧導出部
10  水溜め部
11  ポンプ部
12  水搬送部
13  貫通孔部
14  吸水部
15  透明ケース体
15’  正面開口部
15”  上面開口部
15Ａ  正面開閉板
15Ｂ  上面開閉板
15ａ  底面板
15ｃ  左側面板
15ｄ  右側面板
15ｅ  背面板
16  霧溜め部
16’  板体
17  濾過材
50  観賞体
【図１】
2020182393.tif 000003
【図２】
2020182393.tif 000004
【図３】
2020182393.tif 000005
【図４】
2020182393.tif 000006
【図５】
2020182393.tif 000007
【図６】
2020182393.tif 000008
【図７】
2020182393.tif 000009
【図８】
2020182393.tif 000010
【図９】
2020182393.tif 000011
【図１０】
2020182393.tif 000012